(57)【要約】【課題】電子ファイルの生成元を特定する。【解決手段】ファイル生成装置１の認証ＩＤ埋込部１４は、ファイル生成部１３によって生成された電子ファイルに、固有の認証ＩＤと電子ファイルの生成元を認証装置２に照会するための認証装置ＩＤとを埋め込む。認証装置２は、認証ＩＤと認証装置ＩＤとを発行する認証ＩＤ発行部２１と、ファイル取得装置３から送信された認証ＩＤに対応する個人情報を個人情報データベース２２から取得してファイル取得装置３に返送する個人情報照会応答部２４とを有する。ファイル取得装置３は、電子ファイルから認証ＩＤと認証装置ＩＤとを取り出す認証ＩＤ取出部３３と、電子ファイルの生成元を認証ＩＤと認証装置ＩＤとに基づいて認証装置２に照会する個人情報照会部３４とを有する。【選択図】  図１
2005071054.tif 000002
【特許請求の範囲】
【請求項１】
電子ファイルを生成、複製または改変するファイル生成装置と、このファイル生成装置のユーザの個人情報を管理する認証装置と、前記電子ファイルを取得してその生成元を前記認証装置に照会するファイル取得装置とからなるファイル管理システムであって、
前記ファイル生成装置は、ファイル生成装置のユーザに固有の識別情報を記憶する識別情報記憶手段と、ユーザの要求に応じて生成、複製または改変された電子ファイルに前記識別情報を埋め込む埋込手段とを有し、
前記ファイル取得装置は、取得した電子ファイルから前記識別情報を取り出す取出手段と、前記取得した電子ファイルの生成元の個人情報を前記取り出された識別情報に基づき前記認証装置に照会する照会手段とを有し、
前記認証装置は、前記ファイル生成装置のユーザの個人情報と前記識別情報とを対応付けて記憶する個人情報記憶手段と、前記照会を行うファイル取得装置から送信された識別情報に対応する個人情報を前記個人情報記憶手段から取得して照会元のファイル取得装置に返送する応答手段とを有することを特徴とするファイル管理システム。
【請求項２】
請求項１記載のファイル管理システムにおいて、
前記認証装置は、ネットワークを通じて前記電子ファイルの生成元を照会するためのアドレス情報を前記ファイル生成装置に対して発行する発行手段を有し、
前記ファイル生成装置の前記識別情報記憶手段は、前記識別情報と共に前記アドレス情報を記憶し、前記埋込手段は、前記生成、複製または改変された電子ファイルに前記識別情報と共に前記アドレス情報を埋め込み、
前記ファイル取得装置の前記取出手段は、前記取得した電子ファイルから前記識別情報と共に前記アドレス情報を取り出し、前記照会手段は、前記取り出されたアドレス情報に基づいて前記認証装置にアクセスすることを特徴とするファイル管理システム。
【請求項３】
請求項１記載のファイル管理システムにおいて、
前記応答手段は、前記照会を行うファイル取得装置の予め定められたレベルに基づいて、前記返送する個人情報を制限することを特徴とするファイル管理システム。
【請求項４】
請求項１記載のファイル管理システムにおいて、
電子ファイルがアップロードされるネットワーク上に、前記識別情報が発行されたファイル生成装置によって生成、複製または改変された電子ファイル以外は前記アップロードを拒否するサーバ装置を設けることを特徴とするファイル管理システム。
【請求項５】
請求項１記載のファイル管理システムにおいて、
前記識別情報記憶手段は、前記ファイル生成装置から着脱可能であることを特徴とするファイル管理システム。
【請求項６】
ファイル生成装置のユーザに固有の識別情報を記憶する識別情報記憶手段と、
ユーザの要求に応じて生成、複製または改変された電子ファイルに前記識別情報を埋め込む埋込手段とを有することを特徴とするファイル生成装置。
【請求項７】
請求項６記載のファイル生成装置において、
前記識別情報記憶手段は、ネットワークを通じて前記電子ファイルの生成元を前記認証装置に照会するためのアドレス情報を前記識別情報と共に記憶し、
前記埋込手段は、前記生成、複製または改変された電子ファイルに前記識別情報と共に前記アドレス情報を埋め込むことを特徴とするファイル生成装置。
【請求項８】
請求項６記載のファイル生成装置において、
前記識別情報記憶手段は、ファイル生成装置から着脱可能であることを特徴とするファイル生成装置。
【請求項９】
電子ファイルを生成、複製または改変したファイル生成装置によって埋め込まれた、前記ファイル生成装置のユーザに固有の識別情報を前記電子ファイルから取り出す取出手段と、
前記ファイル生成装置のユーザの個人情報を管理する認証装置に対して、前記電子ファイルの生成元の個人情報を前記識別情報に基づいて照会する照会手段とを有することを特徴とするファイル取得装置。
【請求項１０】
請求項９記載のファイル取得装置において、
前記取出手段は、ネットワークを通じて前記電子ファイルの生成元を前記認証装置に照会するためのアドレス情報を前記電子ファイルから取り出し、
前記照会手段は、前記アドレス情報に基づいて前記認証装置にアクセスすることを特徴とするファイル取得装置。
【請求項１１】
電子ファイルを生成、複製または改変するファイル生成装置のユーザの個人情報と前記ユーザに固有の識別情報とを対応付けて記憶する個人情報記憶手段と、
前記識別情報が埋め込まれた電子ファイルをファイル取得装置が取得してこの電子ファイルの生成元の個人情報を認証装置に照会したとき、このファイル取得装置から送信された識別情報に対応する個人情報を前記個人情報記憶手段から取得して照会元のファイル取得装置に返送する応答手段とを有することを特徴とする認証装置。
【請求項１２】
請求項１１記載の認証装置において、
ネットワークを通じて前記電子ファイルの生成元を照会するためのアドレス情報を前記ファイル生成装置に対して発行する発行手段を有することを特徴とする認証装置。
【請求項１３】
請求項１１記載の認証装置において、
前記応答手段は、前記照会を行うファイル取得装置の予め定められたレベルに基づいて、前記返送する個人情報を制限することを特徴とする認証装置。
【請求項１４】
電子ファイルを生成、複製または改変するファイル生成装置としてコンピュータを機能させるファイル生成装置プログラムであって、
ファイル生成装置のユーザに固有の識別情報を記憶手段に記憶させる識別情報記憶手順と、
ユーザの要求に応じて生成、複製または改変した電子ファイルに前記識別情報を埋め込む埋込手順とをコンピュータに実行させることを特徴とするファイル生成装置プログラム。
【発明の詳細な説明】
【技術分野】
【０００１】
本発明は、ネットワークや記録媒体によって流通する電子ファイルの生成元を管理するファイル管理システム、ファイル生成装置、ファイル取得装置、認証装置およびプログラムに関するものである。
【背景技術】
【０００２】
近年、デジタルカメラやカメラ付き携帯電話機の普及により、撮影した画像を電子ファイルにすることが容易となり、一方、撮影した画像ファイルをアップロードするネットワーク環境として、インターネットや電子掲示板、Ｐ２Ｐファイル交換システムなどが普及している。このようなカメラやネットワーク環境の普及に伴い、著作権あるいは肖像権を侵害する画像や公序良俗に反する画像がネットワーク上に流れることが多くなっている。
【０００３】
従来、画像ファイルの生成元を特定する技術として、撮影時にカメラの製品名や撮影日時を画像ファイルに埋め込む技術が知られている（例えば、非特許文献１参照）。図６は従来のデジタルカメラによって画像ファイルに埋め込まれた情報を示す図である。図６の例では、６０１の位置に情報が埋め込まれており、これによれば、２０００年６月１９日の１３時３３分４２秒に「○○○○」という会社の「△△△△」という名称のデジタルカメラによって撮影された画像ファイルであることが分かる。
【０００４】
なお、出願人は、本明細書に記載した先行技術文献情報で特定される先行技術文献以外には、本発明に関連する先行技術文献を出願時までに発見するには至らなかった。
【非特許文献１】「ディジタルスチルカメラ用画像ファイルフォーマット（Exchangeable Image File Format：Exif）」，社団法人電子情報技術産業協会，１９９５年
【発明の開示】
【発明が解決しようとする課題】
【０００５】
しかしながら、非特許文献１の技術では、撮影したカメラの機種や撮影日時を特定することはできても、撮影者個人を特定することはできないという問題点があった。同様の問題は画像ファイルに限らず、他の電子ファイルでも発生する。
本発明は、上記課題を解決するためになされたもので、電子ファイルの生成元を特定することができるファイル管理システム、ファイル生成装置、ファイル取得装置、認証装置およびプログラムを提供することを目的とする。
【課題を解決するための手段】
【０００６】
本発明は、電子ファイルを生成、複製または改変するファイル生成装置と、このファイル生成装置のユーザの個人情報を管理する認証装置と、前記電子ファイルを取得してその生成元を前記認証装置に照会するファイル取得装置とからなるファイル管理システムであって、前記ファイル生成装置は、ファイル生成装置のユーザに固有の識別情報を記憶する識別情報記憶手段と、ユーザの要求に応じて生成、複製または改変された電子ファイルに前記識別情報を埋め込む埋込手段とを有し、前記ファイル取得装置は、取得した電子ファイルから前記識別情報を取り出す取出手段と、前記取得した電子ファイルの生成元の個人情報を前記取り出された識別情報に基づき前記認証装置に照会する照会手段とを有し、前記認証装置は、前記ファイル生成装置のユーザの個人情報と前記識別情報とを対応付けて記憶する個人情報記憶手段と、前記照会を行うファイル取得装置から送信された識別情報に対応する個人情報を前記個人情報記憶手段から取得して照会元のファイル取得装置に返送する応答手段とを有するものである。
また、本発明のファイル管理システムの１構成例において、前記認証装置は、ネットワークを通じて前記電子ファイルの生成元を照会するためのアドレス情報を前記ファイル生成装置に対して発行する発行手段を有し、前記ファイル生成装置の前記識別情報記憶手段は、前記識別情報と共に前記アドレス情報を記憶し、前記埋込手段は、前記生成、複製または改変された電子ファイルに前記識別情報と共に前記アドレス情報を埋め込み、前記ファイル取得装置の前記取出手段は、前記取得した電子ファイルから前記識別情報と共に前記アドレス情報を取り出し、前記照会手段は、前記取り出されたアドレス情報に基づいて前記認証装置にアクセスするものである。
また、本発明のファイル管理システムの１構成例において、前記応答手段は、前記照会を行うファイル取得装置の予め定められたレベルに基づいて、前記返送する個人情報を制限するものである。
また、本発明のファイル管理システムの１構成例は、電子ファイルがアップロードされるネットワーク上に、前記識別情報が発行されたファイル生成装置によって生成、複製または改変された電子ファイル以外は前記アップロードを拒否するサーバ装置を設けるものである。
また、本発明のファイル管理システムの１構成例において、前記識別情報記憶手段は、前記ファイル生成装置から着脱可能である。
【０００７】
また、本発明のファイル生成装置は、ファイル生成装置のユーザに固有の識別情報を記憶する識別情報記憶手段と、ユーザの要求に応じて生成、複製または改変された電子ファイルに前記識別情報を埋め込む埋込手段とを有するものである。
また、本発明のファイル生成装置の１構成例において、前記識別情報記憶手段は、ネットワークを通じて前記電子ファイルの生成元を前記認証装置に照会するためのアドレス情報を前記識別情報と共に記憶し、前記埋込手段は、前記生成、複製または改変された電子ファイルに前記識別情報と共に前記アドレス情報を埋め込むものである。
また、本発明のファイル生成装置の１構成例において、前記識別情報記憶手段は、ファイル生成装置から着脱可能である。
【０００８】
また、本発明のファイル取得装置は、電子ファイルを生成、複製または改変したファイル生成装置によって埋め込まれた、前記ファイル生成装置のユーザに固有の識別情報を前記電子ファイルから取り出す取出手段と、前記ファイル生成装置のユーザの個人情報を管理する認証装置に対して、前記電子ファイルの生成元の個人情報を前記識別情報に基づいて照会する照会手段とを有するものである。
また、本発明のファイル取得装置の１構成例において、前記取出手段は、ネットワークを通じて前記電子ファイルの生成元を前記認証装置に照会するためのアドレス情報を前記電子ファイルから取り出し、前記照会手段は、前記アドレス情報に基づいて前記認証装置にアクセスするものである。
【０００９】
また、本発明の認証装置は、電子ファイルを生成、複製または改変するファイル生成装置のユーザの個人情報と前記ユーザに固有の識別情報とを対応付けて記憶する個人情報記憶手段と、前記識別情報が埋め込まれた電子ファイルをファイル取得装置が取得してこの電子ファイルの生成元の個人情報を認証装置に照会したとき、このファイル取得装置から送信された識別情報に対応する個人情報を前記個人情報記憶手段から取得して照会元のファイル取得装置に返送する応答手段とを有するものである。
また、本発明の認証装置の１構成例において、ネットワークを通じて前記電子ファイルの生成元を照会するためのアドレス情報を前記ファイル生成装置に対して発行する発行手段を有するものである。
また、本発明の認証装置の１構成例において、前記応答手段は、前記照会を行うファイル取得装置の予め定められたレベルに基づいて、前記返送する個人情報を制限するものである。
また、本発明は、電子ファイルを生成、複製または改変するファイル生成装置としてコンピュータを機能させるファイル生成装置プログラムであって、ファイル生成装置のユーザに固有の識別情報を記憶手段に記憶させる識別情報記憶手順と、ユーザの要求に応じて生成、複製または改変した電子ファイルに前記識別情報を埋め込む埋込手順とをコンピュータに実行させるものである。
【発明の効果】
【００１０】
本発明によれば、ファイル生成装置で電子ファイルを生成、複製または改変する際に、ファイル生成装置のユーザに固有の識別情報を電子ファイルに埋め込むことにより、ファイル取得装置のユーザは、電子ファイルに埋め込まれた識別情報に基づいて認証装置にアクセスして、電子ファイルの生成元の個人情報を取得することができ、電子ファイルの生成元を特定することができる。その結果、ＩＳＰ（Internet Service Provider ）を運営する企業にとっては、著作権あるいは肖像権を侵害する画像や公序良俗に反する画像など不正なコンテンツがアップロードされたときに、そのコンテンツの生成元に対して違法なコンテンツであることを通知することが可能になる。また、ファイル取得装置のユーザは、電子ファイルの利用について生成元と交渉することができるので、これまで著作権に縛られて再利用が難しかったコンテンツの再利用が促進される。
【００１１】
また、ネットワークを通じて電子ファイルの生成元を照会するためのアドレス情報を識別情報と共に電子ファイルに埋め込むことにより、ファイル取得装置のユーザは、ネットワークを通じて認証装置に容易にアクセスすることができるので、認証装置から電子ファイルの生成元の個人情報を取得することが容易になる。
【００１２】
また、認証装置の応答手段が、照会を行うファイル取得装置の予め定められたレベルに基づいて、返送する個人情報を制限することにより、個人情報を保護することができる。一方、ファイル取得装置を犯罪捜査などに使用する場合には、制限を最も緩くすることで、認証装置に登録された個人情報を犯罪捜査に役立てることができる。
【００１３】
また、電子ファイルがアップロードされるネットワーク上に、識別情報が発行されたファイル生成装置によって生成、複製または改変された電子ファイル以外はアップロードを拒否するサーバ装置を設けることにより、不正な電子ファイルのアップロードを抑止することができ、ＩＳＰを運営する企業の管理業務を大幅に軽減することができる。
【００１４】
また、識別情報記憶手段をファイル生成装置から着脱可能とすることにより、複数のファイル生成装置を使い分けることができる。
【発明を実施するための最良の形態】
【００１５】
［第１の実施の形態］
以下、本発明の実施の形態について図面を参照して詳細に説明する。図１は本発明の第１の実施の形態となるファイル管理システムの構成を示すブロック図である。本実施の形態のファイル管理システムは、電子ファイルを生成、複製または改変するファイル生成装置１と、ファイル生成装置１を認証する認証装置２と、ファイル生成装置１によって生成、複製または改変された電子ファイルを取得してその生成元を認証装置２に照会するファイル取得装置３と、ファイル生成装置１と認証装置２とファイル取得装置３とを接続するネットワーク４と、ネットワーク４に接続されたサーバ装置５とから構成される。
【００１６】
ファイル生成装置１は、ファイル生成装置１のユーザに固有の識別情報（以下、認証ＩＤと呼ぶ）と電子ファイルの生成元を認証装置２に照会するためのアドレス情報となる認証装置ＩＤとを予め記憶する記憶部１１と、現在の日時を計時する時計１２と、ユーザの要求に応じて電子ファイルを生成、複製または改変する生成手段となるファイル生成部１３と、ファイル生成部１３によって生成、複製または改変された電子ファイルに認証ＩＤと認証装置ＩＤとを埋め込む埋込手段となる認証ＩＤ埋込部１４と、電子ファイルをネットワーク４上にアップロードするファイル送信部１５とを有する。記憶部１１は識別情報記憶手段を構成している。
【００１７】
認証装置２は、ファイル生成装置１に対して認証ＩＤと認証装置ＩＤとを発行する発行手段となる認証ＩＤ発行部２１と、ファイル生成装置１のユーザの個人情報と認証ＩＤとを対応付けて記憶する個人情報記憶手段となる個人情報データベース２２と、ファイル取得装置３に対して電子ファイルの生成元を照会するための認証ＩＤチェックプログラムを予め配布するプログラム配布部２３と、電子ファイルの生成元の照会を行うファイル取得装置３から送信された認証ＩＤに対応する個人情報を個人情報データベース２２から取得して照会元のファイル取得装置３に返送する応答手段となる個人情報照会応答部２４とを有する。
【００１８】
ファイル取得装置３は、ネットワーク４から電子ファイルを取得するファイル受信部３１と、取得した電子ファイルを記憶する記憶部３２と、取得した電子ファイルから認証ＩＤと認証装置ＩＤとを取り出す取出手段となる認証ＩＤ取出部３３と、取得した電子ファイルの生成元を認証ＩＤと認証装置ＩＤとに基づいて認証装置２に照会する照会手段となる個人情報照会部３４と、認証装置２から返送された個人情報を表示する表示部３５とを有する。
【００１９】
なお、ファイル生成装置１の少なくとも一部の構成については、ＣＰＵ、記憶装置及びインタフェースを備えたコンピュータとこれらのハードウェア資源を制御するプログラムによって実現することができる。認証装置２、ファイル取得装置３およびサーバ装置５についても同様である。
【００２０】
次に、以上のようなファイル管理システムの動作について説明する。図２は、ファイル生成装置１の認証時におけるファイル生成装置１と認証装置２の動作を示すフローチャートである。まず、ファイル生成装置１のユーザは、例えば氏名や住所、電話番号、電子メールアドレス等の個人情報を認証装置２に入力する（図２ステップ１０１）。ユーザが自身の個人情報をファイル生成装置１に入力すると、入力された個人情報がファイル生成装置１からネットワーク４を介して認証装置２に送信される。また、ファイル生成装置１が例えば携帯電話機の場合には、販売店を通じて認証装置２の運営管理者に個人情報が渡され、運営管理者が認証装置２に入力するようにしてもよい。
【００２１】
認証装置２の認証ＩＤ発行部２１は、入力された個人情報に不備がないかどうかを確認し、問題がない場合にはファイル生成装置１のユーザに固有の認証ＩＤを生成し（ステップ１０２）、生成した認証ＩＤと入力された個人情報とを対応付けて個人情報データベース２２に登録する（ステップ１０３）。続いて、認証ＩＤ発行部２１は、生成した認証ＩＤと個人情報データベース２２にアクセスするためのアドレス情報である認証装置ＩＤとをファイル生成装置１に対して発行する（ステップ１０４）。
【００２２】
ファイル生成装置１の記憶部１１は、認証装置２から発行された認証ＩＤと認証装置ＩＤとを対応付けて記憶する（ステップ１０５）。認証ＩＤは、例えば電子署名による保護などにより改変不可能な形式で記憶部１１に格納される。
以上で、認証装置２によるファイル生成装置１のユーザの認証処理が終了する。
【００２３】
なお、ステップ１０４の発行処理とステップ１０５の格納処理とは、認証装置２からネットワーク４を通じて行ってもよいし、ファイル生成装置１が例えば携帯電話機の場合には、認証装置２から発行された認証ＩＤと認証装置ＩＤとを販売店でファイル生成装置１の記憶部１１に書き込むようにしてもよい。
【００２４】
図３は、電子ファイルの生成時におけるファイル生成装置１の動作を示すフローチャートである。ファイル生成装置１のファイル生成部１３は、ユーザの操作に応じて電子ファイルを生成する（図３ステップ２０１）。ここで、ステップ２０１の電子ファイルの生成には、オリジナルの電子ファイルを生成する１次生成と、電子ファイルを複製または改変する２次生成、３次生成、４次生成・・・・とがある。
【００２５】
１次生成の電子ファイルは、ファイル生成装置１が例えばデジタルカメラの場合には撮影された画像ファイルであり、ファイル生成装置１がカメラ付き携帯電話機の場合には同じく画像ファイルや電子メールなどの文書ファイルであり、ファイル生成装置１がコンピュータの場合には画像作成ソフトウェアを使って作成された画像ファイルや文書作成ソフトウェアを使って作成された文書ファイル、あるいは音声作成ソフトウェアを使って作成された音声ファイルである。
また、１次生成の電子ファイルを例えばコンピュータ等のファイル生成装置１で複製または改変すれば、２次生成の電子ファイルとなり、２次生成の電子ファイルを複製または改変すれば、３次生成の電子ファイルとなる。
【００２６】
ファイル生成装置１の認証ＩＤ埋込部１４は、ファイル生成部１３によって生成、複製または改変された電子ファイルの記録操作をユーザが行うと、電子ファイルの生成元を照会するための照会情報を改変不可能な形式で電子ファイルに埋め込み、照会情報を埋め込んだ電子ファイルを記憶部１１に格納する（ステップ２０２）。照会情報を改変不可能な形式で電子ファイルに埋め込む技術としては、例えば電子署名による保護や電子透かし等がある。照会情報は、記憶部１１に格納されている認証ＩＤ、認証装置ＩＤおよびファイル生成装置１の名称と、時計１２から取得した記録時の日時とからなる。
【００２７】
次に、ステップ２０２で記録した電子ファイルを無償または有償でネットワーク４上に流通させることを欲するユーザは、電子ファイルをファイル生成装置１のファイル送信部１５からネットワーク４上にアップロードする（ステップ２０３）。ファイル生成装置１から送信された電子ファイルは、ネットワーク４上のサーバ装置５に格納される。以上で、ファイル生成装置１によるファイル生成処理が終了する。
【００２８】
なお、本実施の形態では、ファイル生成装置１内にファイル送信部１５を設け、ファイル送信部１５からネットワーク４上にアップロードするようにしているが、ファイル生成装置１とは異なる別の装置からネットワーク４上にアップロードするようにしてもよい。また、フレキシブルディスク、ＣＤ−ＲＯＭ、メモリカード等の記録媒体に電子ファイルを記録して流通させるようにしてもよい。
【００２９】
図４は、電子ファイルの生成元照会時のファイル取得装置３と認証装置２の動作を示すフローチャートである。ここで、ファイル取得装置３の記憶部３２には、電子ファイルの生成元を照会するための認証ＩＤチェックプログラムが認証装置２のプログラム配布部２３から予め配布され格納されているものとする。この認証ＩＤチェックプログラムのレベルには、個人用、法人用などのレベルがあり、ファイル取得装置３のユーザのレベルに応じた認証ＩＤチェックプログラムが配布される。ファイル取得装置３の認証ＩＤ取出部３３および個人情報照会部３４は、この認証ＩＤチェックプログラムに基づいて動作する。
【００３０】
電子ファイルの入手を希望するユーザは、ファイル取得装置３を操作してネットワーク４上のサーバ装置５にアクセスする。ファイル取得装置３のファイル受信部３１は、サーバ装置５に登録された電子ファイルの中からユーザが選択した電子ファイルをダウンロードして記憶部３２に格納する（図４ステップ３０１）。なお、本実施の形態では、ネットワーク４を通じて電子ファイルを入手しているが、これに限るものではなく、フレキシブルディスク、ＣＤ−ＲＯＭ、メモリカード等の記録媒体を通じて電子ファイルを入手してもよい。
【００３１】
ファイル取得装置３の認証ＩＤ取出部３３は、ユーザの呼出操作に応じて起動する。若しくは、電子ファイルをダウンロードしたときに自動的に起動するようにしてもよい。起動した認証ＩＤ取出部３３は、記憶部３２に格納された電子ファイルに照会情報が埋め込まれているかどうかをチェックして、照会情報が存在する場合には、電子ファイルから照会情報を取り出して個人情報照会部３４に渡す（ステップ３０２）。
【００３２】
個人情報照会部３４は、照会情報から認証装置ＩＤを取り出して、この認証装置ＩＤに基づきネットワーク４を通じて認証装置２の個人情報データベース２２にアクセスし、照会情報から取り出した認証ＩＤとファイル取得装置３に固有のＩＤとを含む個人情報照会要求を認証装置２に対して送信する（ステップ３０３）。
【００３３】
認証装置２の個人情報照会応答部２４は、受信した個人情報照会要求から認証ＩＤを抽出して、この認証ＩＤに対応する個人情報を個人情報データベース２２から取り出し、取り出した個人情報を要求元のファイル取得装置３に返送する（ステップ３０４）。個人情報保護のため、返送される個人情報には、要求元のファイル取得装置３のレベル（すなわち、ファイル取得装置３の認証ＩＤチェックプログラムのレベル）に応じた制限が課される。個人情報照会応答部２４は、個人情報照会要求に含まれるファイル取得装置３のＩＤに基づいて、ファイル取得装置３のレベルを判別し、制限が最も緩い最高レベルのファイル取得装置３の場合には、個人情報の全てを返送する。最高レベルのファイル取得装置３は、例えば犯罪捜査などの場合に使用されるファイル取得装置３である。また、個人レベルのファイル取得装置３の場合には、ファイル取得装置３のユーザが電子ファイルの生成元に問い合わせることを可能にする最低限の情報（例えば、氏名や電子メールアドレス）のみが返送される。
【００３４】
ファイル取得装置３の表示部３５は、個人情報照会部３４が受信した個人情報を表示する（ステップ３０５）。こうして、ファイル取得装置３のユーザは、入手した電子ファイルの生成元を照会することができる。
【００３５】
図５は、本実施の形態において電子ファイルに埋め込まれた照会情報を示す図である。照会情報は改変不可能な形式で電子ファイルに埋め込まれているため、電子ファイルを開いたとしても、本来その内容を見ることはできないが、図５の例では目視可能な形で記述している。図５の例では、５０１の位置に照会情報が埋め込まれており、この照会情報によれば、２００３年７月１０日に「○○○○○」という名称のファイル生成装置１で生成された電子ファイルであり、認証ＩＤは「０１２３−４５６７−ＡＢＣＤ−ＥＦＧＨ」で、認証装置ＩＤは「ｈｔｔｐ：／／認証装置／△△△会社携帯」であることが分かる。
【００３６】
従来、ファイル取得装置３のユーザは、ネットワーク４上で良い写真を見つけ、それを自分のホームページに掲載したいと思ったとしても、撮影者に連絡できないので、掲載することができない。これに対して、本実施の形態では、画像ファイルに埋め込まれた照会情報により認証装置２にアクセスして、画像ファイルの撮影者の個人情報（ファイル取得装置３が個人レベルの場合には撮影者の電子メールアドレス）を取得することができるので、撮影者に連絡をとることができ、画像ファイルの利用について撮影者と交渉することができる。つまり、これまで著作権に縛られて再利用が難しかったコンテンツの再利用が促進される。
【００３７】
また、従来より、ＩＳＰ（Internet Service Provider ）を運営する企業は顧客向けに無料画像や動画掲示板を提供していることが多いが、著作権あるいは肖像権を侵害する画像や公序良俗に反する画像など不正なコンテンツがアップロードされることがある。そのため、ＩＳＰを運営する企業は、不正なコンテンツの監視やコンテンツの削除依頼への対応など管理業務に多大な労力を要している。
【００３８】
これに対して、本実施の形態では、ＩＳＰが運営するサーバ装置５のファイルアップロード機能に、認証済のファイル生成装置１によって生成された電子ファイル以外はアップロードできないという機能を追加することで、不正なコンテンツのアップロードを抑止することができ、ＩＳＰを運営する企業の管理業務を大幅に軽減することができる。
【００３９】
また、近年は少年犯罪などが発生した際に、少年法で保護されている容疑者の顔写真などが携帯電話ネットワークや匿名掲示板を介して出回ることがあるが、現状では撮影者などを特定することはきわめて困難である。本実施の形態では、画像ファイルの撮影者の個人情報（ファイル取得装置３が犯罪捜査などに使用される場合には、認証装置２に登録された撮影者の全個人情報）を取得することができるので、撮影者を容易に特定することができる。これにより、写真の違法な配布を抑止することができる。
【００４０】
［第２の実施の形態］
近年、日本を除く欧州、アジア、北米などの携帯電話機業界では、ＧＳＭ（Group Special Mobile）方式においてＳＩＭ（Subscriber Identity Module）カードを使用する利用形態が常識となっている。ＳＩＭカードを使用することにより、通信事業者と携帯電話端末の分離、契約者番号（加入者番号等）のポータビリティが実現できるので、ユーザは、カードを差し替えることで自由に携帯電話端末を使い分けることが可能になる。
【００４１】
一方、我国では、ＩＭＴ−２０００（International Mobile Telecommunications in the year 2000）と呼ばれる規格に則った次世代携帯電話サービスが世界に先駆けて開始されている。このＩＭＴ−２０００ではＳＩＭカードの上位互換であるＵＩＭ（User Identity Module）カードの使用が義務付けられており、我国においてもＳＩＭ（ＵＩＭ）カードの使用が今後より一般的に普及するものと考えられる。
【００４２】
本実施の形態は、以上のようなＳＩＭカードあるいはＵＩＭカードを使う携帯電話サービスに第１の実施の形態のファイル管理システムを適用するものであり、ＳＩＭカードあるいはＵＩＭカードを第１の実施の形態で説明した記憶部１１として使用する。これにより、記憶部１１が着脱自在となり、記憶部１１（ＳＩＭカードあるいはＵＩＭカード）を別の携帯電話機に差し替えることで、この携帯電話機が認証装置２によって認証されたファイル生成装置１となる。その結果、認証装置２から発行された認証ＩＤを別のファイル生成装置１に引き継いで使用することができるので、ＳＩＭ／ＵＩＭカードの着脱によって複数のファイル生成装置１を使い分けることができるという効果を奏する。
【００４３】
なお、第１、第２の実施の形態において、ステップ２０１の電子ファイルの生成がｎ（ｎは２以上の整数）次生成である場合、（ｎ−１）以前の生成の際に認証ＩＤが電子ファイルに既に埋め込まれており、これらの認証ＩＤに加えてｎ次生成の認証ＩＤが電子ファイルに埋め込まれるので、複数の認証ＩＤが電子ファイルに埋め込まれることになる。この場合、認証装置２の個人情報照会応答部２４は、電子ファイルに埋め込まれている全ての認証ＩＤについて対応する個人情報をファイル取得装置３に返送する。したがって、１次生成の電子ファイルの生成元だけでなく、この１次生成の電子ファイルを複製または改変した２次生成、３次生成の生成元についても特定することができる。
また、第１、第２の実施の形態では、認証ＩＤを認証装置２から発行されるものとしているが、これに限るものではなく、例えば電話番号等を認証ＩＤとして使用してもよい。
【産業上の利用可能性】
【００４４】
本発明は、ネットワークや記録媒体によって流通する電子ファイルの管理に適用することができる。
【図面の簡単な説明】
【００４５】
【図１】本発明の第１の実施の形態となるファイル管理システムの構成を示すブロック図である。
【図２】ファイル生成装置の認証時におけるファイル生成装置と認証装置の動作を示すフローチャートである。
【図３】電子ファイルの生成時におけるファイル生成装置の動作を示すフローチャートである。
【図４】電子ファイルの生成元照会時のファイル取得装置と認証装置の動作を示すフローチャートである。
【図５】本発明の第１の実施の形態において電子ファイルに埋め込まれた照会情報を示す図である。
【図６】従来のデジタルカメラによって画像ファイルに埋め込まれた情報を示す図である。
【符号の説明】
【００４６】
１…ファイル生成装置、２…認証装置、３…ファイル取得装置、４…ネットワーク、５…サーバ装置、１１…記憶部、１２…時計、１３…ファイル生成部、１４…認証ＩＤ埋込部、１５…ファイル送信部、２１…認証ＩＤ発行部、２２…個人情報データベース、２３…プログラム配布部、２４…個人情報照会応答部、３１…ファイル受信部、３２…記憶部、３３…認証ＩＤ取出部、３４…個人情報照会部、３５…表示部。
【図１】
2005071054.tif 000003
【図２】
2005071054.tif 000004
【図３】
2005071054.tif 000005
【図４】
2005071054.tif 000006
【図５】
2005071054.tif 000007
【図６】
2005071054.tif 000008